(57)【要約】      （修正有）【課題】野菜や果物の皮むきや、キャベツの千切りなどを行う際に、熟練しなくとも均一な結果を得ることができ、無駄な力を要せず、より効率的に、安全に行うことのできる、便利な手動式の皮むき器を提供するものである。【解決手段】刃５と、前記刃５を保持するヘッド部２と、柄と、前記ヘッド部２と前記柄３を接続する屈曲部４とを備え、前記屈曲部４は、少なくとも１０度屈曲することを特徴とする。【選択図】図１
2014083391.tif 000002
【特許請求の範囲】
【請求項１】
刃と、前記刃を保持するヘッド部と、柄と、前記ヘッド部と前記柄を接続する屈曲部とを備え、
前記屈曲部は、少なくとも１０度屈曲することを特徴とする皮むき器。
【請求項２】
請求項１に記載の皮むき器であって、
前記屈曲部は、少なくとも１５度屈曲することを特徴とする皮むき器。
【請求項３】
請求項１又は２に記載の皮むき器であって、
前記屈曲部は、少なくとも２０度屈曲することを特徴とする皮むき器。
【請求項４】
請求項１から３のいずれか一項に記載の皮むき器であって、
前記屈曲部の屈曲角が１０〜２０度になるように前記柄に力を加えたとき、前記ヘッド部の荷重が５００〜１３００ｇとなるように構成されていること特徴とする皮むき器。
【請求項５】
請求項１から４のいずれか一項に記載の皮むき器であって、
前記ヘッド部と前記屈曲部と前記柄とが、一体成形されている
ことを特徴とする皮むき器。
【請求項６】
請求項１から５のいずれか一項に記載の皮むき器であって、
前記柄周辺に、少なくとも前記柄を引く操作時に指の掛かる指掛け部、または、指を通す貫通した指掛穴を設けた
ことを特徴とする皮むき器。
【請求項７】
請求項１から６のいずれか一項に記載の皮むき器であって、
前記刃の刃先を略三角形の複数の三角刃で構成した
ことを特徴とする皮むき器。
【発明の詳細な説明】
【技術分野】
【０００１】
本発明は、皮むき器に関する。
【背景技術】
【０００２】
従来から、根菜の皮をむく手動の皮むき器が有る。
【０００３】
近年、健康志向などから、野菜を調理する機会が増えている。それに伴い、一般家庭では、根菜のみならず、キャベツの千切りや、トマトの皮むきを簡易に行う方法が望まれている。しかしながら、皮むき作業を行う際に、刃先が食い込みすぎたり、食い込みが足りなかったりすることがある。均一な力で均一に皮むきをするのには微妙な調整が必要とされ、技術が必要とされた。また、強く握り強く引く力を要し、女性や高齢者には使いにくかった。
【０００４】
特許文献１には、三角刃の並びが湾曲した調理用皮剥き器が開示されている。また、特許文献２には、把手として機能する把持部材と、該把持部材に軸支され所定範囲内で回動可能な支持部材と、該支持部材に支持されるとともに、直線状の刃を有する刃部材とを具備する皮むき器が開示されている。特許文献３には、幅が大なる所定形状の把手と所定形状を備えた刃体保持部と同保持部に取り付けられた刃体と、同保持部と把手を連結する幅が小なる首部とからなる皮むき器において、同首部の少なくとも幅方向の側部に対して高分子化合物よりなる摘み部材を取着した皮むき器が公開されている。
【先行技術文献】
【特許文献】
【０００５】
【特許文献１】実用新案登録第３１２５０３８号
【特許文献２】特許公開２００１−１２８８４４号
【特許文献３】特許公開平７−２４６１５４号
【発明の開示】
【発明が解決しようとする課題】
【０００６】
上述の特許文献１ないし３に開示された技術は、野菜に食い込む角度や、野菜に対する加圧を調整するものではないため、キャベツの千切り等を均一に行うためには、使用者は力加減を調整して作業を行わなければならないという問題があった。また、ゴボウやレンコン等の硬い根菜をむく場合と、トマトのように柔らかい素材をむく場合とで、力加減を調整する必要があった。
【０００７】
本発明は、野菜や果物の皮むきや、キャベツの千切りなどを行う際に、熟練しなくとも均一な結果を得ることができ、無駄な力を要せず、より効率的に、安全に行うことのできる、便利な手動式の皮むき器を提供するものである。
【課題を解決するための手段】
【０００８】
上記課題を解決するために、本発明に係る皮むき器は、刃と、前記刃を保持するヘッド部と、柄と、前記ヘッド部と前記柄を接続する屈曲部とを備え、前記屈曲部は、少なくとも１０度屈曲することを特徴とする。
【０００９】
前記屈曲部は、少なくとも１５度屈曲するように構成してもよい。
【００１０】
また、前記屈曲部は、少なくとも２０度屈曲するように構成してもよい。
【００１１】
前記屈曲部の屈曲角が１０〜２０度になるように前記柄に力を加えたとき、前記ヘッド部の荷重が５００〜１３００ｇとなるように構成されていてもよい。
【００１２】
また、前記ヘッド部と前記屈曲部と前記柄とが、一体成形されていてもよい。
【００１３】
また、前記柄周辺に、少なくとも前記柄を引く操作時に指の掛かる指掛け部、または、指を通す貫通した指掛穴を設けることができる。
【００１４】
また、前記刃の刃先を略三角形の複数の三角刃で構成することができる。
【発明の効果】
【００１５】
本発明によれば、野菜や果物の皮むきや、キャベツの千切りなどを行う際に、熟練しなくとも均一な結果を得ることができ、無駄な力を要せず、より効率的に、安全に行うことのできる、便利な手動式の皮むき器を提供することができる。
【図面の簡単な説明】
【００１６】
【図１】第１の実施形態における皮むき器の外観を示した図である。
【図２】第１の実施形態における皮むき器の使用例を示す図である。
【図３】第１の実施形態における屈曲部の屈曲を説明するための図である。
【図４】第２の実施形態における皮むき器の外観を示した図である。
【図５】第３の実施形態における皮むき器の外観を示した図である。
【図６】第４の実施形態における皮むき器の外観を示した図である。
【図７】第５の実施形態における皮むき器の外観を示した図である。
【図８】第６の実施形態における皮むき器の外観を示した図である。
【発明を実施するための形態】
【００１７】
（第１の実施形態）
以下、図面に基づいて本発明の実施の形態を説明する。図１は、第１の実施形態における皮むき器の外観を示した図である。
【００１８】
図１(a)は、本発明の第１の実施形態における皮むき器１の平面図及び左側面図であり、図１(b)は本発明の第１の実施形態における皮むき器１の正面図である。皮むき器１は、ヘッド部２と屈曲部４と柄３とを備える。また、ヘッド部２は刃５を備える。ヘッド部２、屈曲部４、柄３はプラスチック樹脂（例えば、ＡＢＳ樹脂やポリプロピレン樹脂）で一体成形されている。
【００１９】
皮むき器１の全長は、キャベツなどの大型野菜用の場合、１５〜２５ｃｍであり、また、刃５の幅は約８〜１５ｃｍである。一方、トマト、ジャガイモなどの小型野菜用の場合、皮むき器１の全長は、１２〜１７ｃｍであり、また、刃５の幅は約５〜９ｃｍである
皮むき器１は、力を加えない標準状態で、側面から見てヘッド部２、屈曲部４、柄３が略一直線状になるよう形成されている。
【００２０】
刃５はヘッド部２に平行に取り付けられた、ステンレス鋼のストレートな刃である。刃５はやや回動するように、ヘッド部２に対し遊びを持って取り付けられている。もちろん刃５ａは、後述の図５に示すような、略三角形状の複数の三角刃で構成されていてもよい。ヘッド部２は、柄３に対して横方向に垂直に延びるように構成される。ヘッド部２のうち刃５が設けられ、皮をむく際に素材に向く側を前側、その反対側を後側と定義したときに、屈曲部４は、後側に、またヘッド部２に対し垂直に屈曲する。
【００２１】
屈曲部４は、使用者によって把持される柄３から先端の刃５に向かうにつれて細くなるよう形成されている。使用者が柄３を握り、ヘッド部２の刃５を野菜にあて、柄３に荷重を加える事により、屈曲部４が撓みにより湾曲（屈曲）するものである。
【００２２】
次に、皮むき器の使用状態について説明する。図２は、第１の実施形態における皮むき器の使用例を示す図である。図２(a)、図２(b)ともに、皮むき器１の使用の一例を示している。図２(a)は、約半分にしたキャベツ９の切断面において、皮むき器１の刃５をあて、手で引いた状態を示す。刃先の向き８で示すようにキャベツの切断面と刃先の角度ｄ１（例えば１５°）を構成する。このとき屈曲部４は殆ど屈曲していない状態を示し、柄を引くことによりスムーズに千切りキャベツ９ａが出来る。
【００２３】
図２(b)は、第１の実施形態における皮むき器の他の使用例を示し、図２(a)で示したと同じ様に約半分にしたキャベツ９の切断面において、皮むき器１の刃５をあて、手で引いた状態である。図２(a)に示す使用例に比べ、使用者は皮むき器１をキャベツ９の切断面に強く押し当てているため、屈曲部４は屈曲している。また、屈曲部４が屈曲する結果、キャベツ９の切断面と刃先の角度ｄ２は、図２(a)の使用例における刃先の角度ｄ１に比べ大きいものとなっている（例えば２５度）。
【００２４】
この状態だと、キャベツ９の切断面に刃５が食い込み、抵抗が増す。この抵抗により、使用者が柄３を矢印方向に引く力が増す。すると、屈曲部４の屈曲が伸びる。それにより、刃５の食い込みが解消される。この様に、使用者が皮むき器１をキャベツに押し当てる力加減に従って引く力が変化し、刃の食い込み角度が丁度良い加減に解消される。キャベツ９の切断面に皮むき器１を押し付ける際の力加減の調整を必要とせず、余分な力が吸収されるため、均一な千切りキャベツ９を得ることができる。
【００２５】
また、キャベツ９の切断面に多少の凹凸があっても、ヘッド部２をなぞるように柄３を引くことで、屈曲部４の屈曲が凹凸を吸収し、均一な厚さの千切りが可能となる。さらに、トマト等の柔らかい食材の皮をむく際も、トマトに皮むき器１を押し付ける時の不要な力が屈曲部４に吸収されるため、薄く均一な皮むきが可能となる。
【００２６】
さらに、皮むき器１の屈曲について説明する。図３は、第１の実施形態における屈曲部の屈曲を説明するための図である。
【００２７】
皮むき器１に力を加えない標準状態では、柄３はＦ１の位置にあり、ヘッド部２を食材と接触させ、柄３に力を加えた状態では、屈曲部４が屈曲し、柄３はＦ２の位置になる。この場合のＦ１とＦ２との間の角度をθとする。
【００２８】
ここで、使用者が通常の力を加えた場合に、屈曲することが可能な角度の範囲を「屈曲許容範囲」という。屈曲許容範囲が調度良いと、使用者からの過度な力がヘッド部２に直接伝わるのを防ぐとともに、野菜表面の微妙な凹凸に合わせてヘッド部２が上下でき、野菜表面をなぞるように、ヘッド部２を動かすことができる。一方で、屈曲角度の許容範囲が小さすぎると、上記の効果が期待できず、刃が食材に噛まなかったり、食い込みすぎを生じる。また、屈曲許容範囲が大きすぎると、ヘッド部２が大きく振れすぎて、力が野菜にうまく伝わらない。
【００２９】
以上の点を勘案すると、通常の力で、少なくとも１０度の屈曲が可能なように構成すると良い。より好ましくは、少なくとも１５度、さらに好ましくは、少なくとも２０度の屈曲が可能なように構成すると良い。
【００３０】
一方で、通常の使用者の力で、簡単に大きく屈曲するようでは使い勝手が悪くなる。したがって、屈曲角の上限は、３０〜４０度である。
【００３１】
また、大根、ニンジン、ジャガイモなどの野菜の皮をむくときに、ヘッド部２から野菜に対してある程度の荷重が掛けられるとスムーズに皮をむくことができる。さらに、キャベツの千切りにおいても、同様にスムーズに均一な薄さの千切りが出来る。さらには、大根などを薄く幅広く均一な厚さにむく事が出来る。
【００３２】
そこで、屈曲角が１０〜２０度となるように押し付けたときのヘッド部２の荷重が５０００〜１３００ｇとなるように構成すると良い。より好ましくは、屈曲角が１０〜２０度となるように押し付けたときのヘッド部２の荷重が６００〜７００ｇとなるように構成する。
【００３３】
なお、皮むき器１のヘッド部２を素材から離すと、屈曲部４の弾性により、屈曲状態が解消され、柄３は標準状態の位置に戻る。
【００３４】
このように、屈曲部４の屈曲角に範囲を設けることで、皮むき器１の操作性をより向上させることができる。
【００３５】
なお、皮むき器１の大きさ及び素材については、上述の一例に限られない。手の小さい使用者が使用できるよう、もっと小さいものとしてもよい。屈曲部４が屈曲するよう構成されていれば、素材は問わない。
【００３６】
（第２の実施形態）
次に、第２の実施形態について説明する。第２の実施形態における皮むき器２は、使用者が指を掛けるための指掛け部を備える。図４は、第２の実施形態における皮むき器の外観を示した図（平面図及び正面図）である。以下、第１の実施形態と異なる点について説明し、重複する点については説明を省略する。
【００３７】
皮むき器１０は、ヘッド部２、屈曲部４、柄３を備える。柄３には、左右に指掛け部６が設けられており、使用者は指掛け部６に親指と人差し指を掛け（図４に示すＦの部分）、上方向から皮むき器２を掴むように使用する。皮をむく際に素材に向く側を前側、その反対側を後側と定義した場合、指掛け部６は前側でも後側でもなく、横方向に設けられる。
【００３８】
従来の皮むき器は、柄が棒状や板状になっており、柄の表面に多少の起伏があるものの、指を掛ける突起を設けたものはなかった。使用者は、皮むき器の刃が素材に深く食い込むと、皮をむく際に柄を強く握って引かなければならず、使い勝手が悪かった。また、硬い食材の皮をむく場合など、手から皮むき器が抜けてしまうことによる危険性もあった。
【００３９】
本発明における皮むき器１０は、指掛け部６に指を掛け、力を加えることにより、柄３を強く握らずとも皮をむくことができる。また、指を指掛け部６に掛けることにより、皮むき器２を引く力が直接柄３、ヘッド部２、刃５に伝わり、従来より軽い力で皮をむくことができる。
なお、指掛け部６の設置位置は、皮むき器２の横方向に限られず、設置個所も２か所に限られない。例えば、柄３の前側一か所に設けてもよい。
【００４０】
（第３の実施形態）
次に、第３の実施形態について説明する。第３の実施形態における皮むき器３は、使用者が指を掛けるための貫通孔と、素材方向に湾曲した刃とを備える。図５は、第３の実施形態における皮むき器の外観を示した図である。以下、上述の実施形態と異なる点について説明し、重複する点については説明を省略する。
【００４１】
図５(a)は、皮むき器１１の平面図及び左側面図であり、図５(b)は皮むき器１１の正面図である。皮むき器１１は、ヘッド部２、屈曲部４、指掛け部６、柄３、貫通孔７を備える。ヘッド部２は、素材方向に湾曲した刃５ａを備える。貫通孔７は、皮むき器３を掴む際に指を掛ける指掛穴である。使用者は、貫通孔７に人差し指を掛け、指掛け部６には他の任意の指を掛けて皮むき器３を使用する。
【００４２】
刃５ａは、左側面から見た場合に、素材方向に向かって弧状に湾曲した形状である。刃５ａは、略三角形状の複数の三角刃で構成されている。略三角形状の複数の三角刃により構成することで、一つ一つの三角刃の先端が素材に刺さり、食い込みやすくなり、切れ味が向上する。また、横ブレ、滑りを防ぐ。
【００４３】
刃５ａを素材に向かって弧状に湾曲した形状とすることにより、平面状の素材を削ることができる。素材に対し平行である場合、平面状の素材には刃が食い込まず、削ることができないが、皮むき器３を用いると、削る位置を変えながら窪みをつけるように素材をなぞることで、平面状の素材でも削ることが可能になる。
【００４４】
また、皮むき器１１に貫通孔７を設けることで、より楽に皮むき器１１を把持することができる。貫通孔７に指を掛けることにより、柄３を強く握らずとも皮をむくことができる。なお、貫通孔は人差し指用と中指用など、一の皮むき器３に対し複数設けてもよい。
【００４５】
さらに、本実施形態における皮むき器１１は、正面から見て、ヘッド部２と柄３とが段差になるよう形成されている。この形状により、貫通孔７に掛けた指が素材に接触することを防ぐ。また、柄３が素材と平行に接触することがないため、柄３に対し素材の方向に力を加えることが容易になる。
【００４６】
（第４の実施形態）
次に、第４の実施形態について説明する。第４の実施形態における皮むき器１２は、屈曲部を板バネで構成する。図６は、第４の実施形態における皮むき器の外観を示した図である。図６(a)は、皮むき器１２の平面図及び左側面図であり、図６(b)は皮むき器１１の正面図である。以下、上述の実施形態と異なる点について説明し、重複する点については説明を省略する。
【００４７】
第４の実施形態における皮むき器１２は、屈曲部４ａをＵ字状に湾曲した板バネで構成する。ヘッド部２を切削面に押し付けると、屈曲部４ａのＵ字部分が開くことにより、後側へ屈曲する。柄３とヘッド部２を板バネである屈曲部４ａで接続することで、屈曲部の強度が増し、力が加えられることによる破損を防ぐことができる。
【００４８】
（第５の実施形態）
次に、第５の実施形態について説明する。第５の実施形態における皮むき器１３は、屈曲部をコイルバネで構成する。図７は、第５の実施形態における皮むき器の外観を示した図（正面図、及び角度を変えて示した左側面図）である。以下、上述の実施形態と異なる点について説明し、重複する点については説明を省略する。
【００４９】
第５の実施形態における皮むき器１３は、屈曲部４ｂをコイル状に巻いたコイルバネで構成する。ヘッド部２を切削面に押し付けると、屈曲部４ｂのコイルバネが湾曲し、屈曲部４ｂが後側へ屈曲する。
【００５０】
皮むき器１３は、芽取り部２０を備える。芽取り部２０は、ジャガイモの芽を取る場合に使用する。皮むき器１３の刃５ｂは、素材方向とは反対方向に弧状に湾曲している。刃５ｂを内側に湾曲することにより、大根やトマトなど、素材における刃５ｂとの接触面が湾曲している場合に、素材を包み込むようにむくことができ、効率性が向上する。また、例えば手を滑らせ、空振りした場合に、素材を掴む側の手を傷つけることを防ぐ。
【００５１】
（第６の実施形態）
次に、第６の実施形態について説明する。第６の実施形態における皮むき器１４は、屈曲部をヒンジで構成する。図８は、第６の実施形態における皮むき器の外観を示した図である。以下、上述の実施形態と異なる点について説明し、重複する点については説明を省略する。
【００５２】
図８(a)は、第６の実施形態における皮むき器１４の平面図であり、図８(b)は、第６の実施形態における皮むき器１４の正面図である。第６の実施形態における皮むき器１４は、ヒンジによって構成される屈曲部４ｃを備える。屈曲部４ｃは、ヘッド部２を素材と接触させ、柄３に力を加えることにより、最大ｄ３の角度まで屈曲する。
【００５３】
上述の他の実施形態では、ヘッド部２を素材から離すと、屈曲部４の弾性によって柄３が標準位置に戻るが、本実施形態における屈曲部４ｃは、ヘッド部２を素材から離すと、自重により柄３が標準位置に戻る点が他の実施形態と異なる。しかしながら、刃５を素材に沿わせたまま柄３を引くと、屈曲部４ｃの屈曲が余分な力や素材の凹凸を吸収し、均一な結果が得られる点は他の実施形態と同様である。このように、必ずしも弾性部材を用いなくてもスムーズな皮むきが可能な皮むき器１４が実現できる。
【００５４】
なお、ヒンジに板バネやコイルばねを設置して、標準状態に回復する力が作用するようにしてもよいことは、言うまでもない。
【００５５】
以上、各実施形態に基づき本発明の説明を行ってきたが、上記実施形態に示した要件に本発明が限定されるものではない。屈曲部は、板バネ、コイルバネを利用したもの以外にも、線材を用いたり、複数の素材を組み合わせて用いても良い。これらの点に関しては、本発明の主旨をそこなわない範囲で変更することができ、その応用形態に応じて適切に定めることができる。
【００５６】
また、各実施形態は、それぞれの特徴を組み合わせることができる。上述のいずれかの皮むき器が、他の実施形態の特徴を併せ持つものであってもよい。
【符号の説明】
【００５７】
１：皮むき器、２：ヘッド部、３：柄、４・４ａ・４ｂ・４ｃ：屈曲部、５・５ａ・５ｂ：刃、６：指掛部、７：貫通孔、８：刃先の向き、９：キャベツ、９ａ・９ｂ：千切りキャベツ、１０：皮むき器、１１：皮むき器、１２：皮むき器、１３：皮むき器、１４：皮むき器、２０：芽取り部、ｄ１・ｄ２・ｄ３：刃先の角度、Ｍ：芽とり部
【図１】
2014083391.tif 000003
【図２】
2014083391.tif 000004
【図３】
2014083391.tif 000005
【図４】
2014083391.tif 000006
【図５】
2014083391.tif 000007
【図６】
2014083391.tif 000008
【図７】
2014083391.tif 000009
【図８】
2014083391.tif 000010